(57)【特許請求の範囲】
【請求項１】
外海の波を寄せ集め高さを出さして取り込む波高筒１の海水は、波高水槽２に蓄えて、一方で潮の満ち引きを地中潮流管３０を通して、海水を人工運河４５に導入し、その運河に浮かべた起動槽４と起動水槽タワー下１４は、常に連結プレート１２と１９で連結されており、
起動水槽タワー上１５頭部を満潮時に満杯とした後、今度は潮の引き初めた時に起動槽４の起動水槽排水ハッチ７の扉を閉めて、波高水槽２の高さを保つ海水をジャバラ送水管３を通して起動槽４に送水すると、その重量と潮の引き具合で次第に浮上し始め、更にこれを満杯にすると引き潮との相乗効果で起動水槽タワーを完全に起こすことが出来き、
干潮時に次は起動水槽タワー上１５頭部を満杯にした海水を送水講３１で、高架水槽ホッパー３２に送水し、起動水槽タワー上１５を空にした後、今度は潮の満ち始めた時に起動槽４の排水ハッチ７の扉を開き起動槽下エアー室５に送風管６を通して、コンプレッサー４４でエアーを送り込みエアーの圧力で、エアー圧力排水口１３から満タンとした海水を排出すると共に、起動槽４の海水も排水ハッチ７を開くことで次第に浮上し初めて、それに連れごく自然な排水をし、起動水槽タワー下１４起動水槽タワー上１５も満潮に入ると単独の状態でも倒れ、この２つの相乗効果で起動槽４の底が水平にすることができ、起動槽下エアー室５にある送風管６からエアーを抜けば起動槽底の下面にあるエアー圧力排水口１３から逆に海水が進入して、満潮時の状態に戻るのを特徴とする潮海力発電装置。
【請求項２】
前記高架水槽ホッパー３２は、高さや水量を補うために海水重量をダムの四隅に向けて２面ホッパーとして放水出口に勢いがつく構造にし、満水にした水位は下げることなく使用することが寛容とし、潮の満ち引きはその月々によって異なり、トータルとしては１日に２回の日が２３日又は２４日あり、１回半と１回の日がトータル７日又は８日あり、週間的に１日に２回の日が５、６日続くと、その後は１回半が２日ほど続きその後は繰り返し、これを週期回数に当てはめて、平日は４機のタービン本体４３を使用し、土日祝の電気使用量の少ない日に水位を確保するために、タービン本体４３使用は３機として供給する請求項１記載の潮海力発電装置。
【発明の詳細な説明】
【技術分野】
【０００１】この発明は、人工運河４５に海水を地中潮流管３０で導入し、図１で全体を示す立体図。潮の満ち引きを基にして、一方で波を寄せ集めた波高筒１で高さを出した海水を取り込み、波高水槽２に蓄える。図４で示す。満潮から干潮時にかけ起動水槽タワー上下１５，１４を引き起こす時に、波高水槽２の海水をジャバラ送水管３を通じて海水を起動槽４に送水、図２で示す。起き上がって高さを出した起動水槽タワー上１５の海水は、送水ハッチ１８を開き送水溝３１を通じて高架水槽ホッパー３２に入水し５日間蓄積、発電装置のタービン本体４３回転の原動力とする。図５で示す。
【背景技術】
【０００２】問題を抱える火力発電所のｃｏ２や原発の穴埋めとして、発電の力は小規模ではあるが自然エネルギーの代表者として、海辺の場所に数多くこれを設けることは可能であり、発電の安全性は第一とするものである。
【先行技術文献】
【特許文献】
【０００３】
【特許文献１】特開２０１４−１０５７０２号公報
【発明の概要】
【発明が解決しようとする課題】
【０００４】本発明は海の大自然の潮の満ち引きを利用したもので、干潮から満潮時にかけて起動水槽タワー下と上１４、１５をごく自然に倒し起動水槽タワー上１５の頭部を海水を満タンにし、引き潮時にこれを引き起こす構造にした。【０００５】この海水を高架水槽ホッパー３２に５日間蓄えて満水としタービン本体４３の原動力とし、自然な力を活用しエネルギーとするものである。
【課題を解決するための手段】
【０００６】この目的を達成する本発名の高架水槽タワー下１４のタンク内部には、約１／２海水を入れており、干潮時には運河水面と同じようにＬ型金具２５は水平を保って，潮が満ち始めると、起動水槽タワー下１４の右舷のみが少しづつ浮き上がり初めて１４のタンク内部の海水は次第に左に移動を始める。運河両岸付きの軸受け２６は、その右先端２６イの働きで、Ｌ型金具２５を図６で示す。
水平を保っていた１４のタンクは、干潮時から潮の満ち始めをｓ１、ｓ２の順に傾き方を、図６で示す。
軸受け２６とＬ型金具２５は、連結回転シャフト２４で連結され、起動水槽タワー下１４とＬ型金具２５は、連結回転シャフト２３で連結されている。図７で示す。
【図面の簡単な説明】
【０００７】
【図１】潮海力発電全体を示す立面図。（３２の矢印は底斜面鋼板塗装で海水の滑りを示す）
【図２】１〜２〜３〜４の連結側面図。（海水の流動を示す）
【図３】１の波高筒拡大平面図。
【図４】１の波高筒拡大側面図。（１Ａ波の吸収庇、１Ｂ波が低いときに開く）
【図５】起動水槽タワー上１５が起き上がって３１の溝から３２の高架水槽ホッパーえ送水する側面図。
【図６】潮が満ち始め起動水槽タワー下１４の動きがイ〜ロ〜ハえと移動を示す拡大図。（Ｓ１干潮からＳ２潮の満ち始めた時）
【図７】運河側壁両面２８と起動水槽タワー下１４は２ケ所の回転軸があり２３は２５を通じて、２４の回転軸は２５を通じて２６・２８へ拡大平面図。（断面拡大図。）
【図８】干潮時に起動水槽タワー１５にはまだ水は無く水平に浮かぶ側面図。
【図９】動水槽タワー１５が干潮時から１／４満潮に向かったイの状態の側面図。
【図１０】起動水槽タワー１５が干潮時から２／４満潮に向かったロの状態の側面図。
【図１１】起動水槽タワー上１５が干潮時から３／４満潮に向かったハの状態の側面図。（２０の弁が水圧にされて内側に開き入水を始める）
【図１２】満潮時起動水槽上１５が満水となり５は６のエアーキャブを外すと自然に１３から入水し満タンとなり４は３からの送水により入水を始める側面図。
【図１３】満潮時から干潮の中間口の状態で３を通して４に送水中の側面図。
【図１４】干潮時４を満水とし１５を起こした側面図。
【図１５】高架水槽ホッパー３２最下部と４３タービン平面図。（Ｅ＝Ｅ上部側面放水図）
【図１６】タービン断面図。（Ｇ＝上面の一部）
【発明を実施するための形態】
【０００８】潮の満ち引きは毎月約５４回〜５８回の繰り返しがあり、２機の起動水槽タワー上１５下１４が、これに準じて満潮から干潮時にかけて起き上がりの繰り返しをします、これを高架水槽ホッパー３２に蓄え満タンを保ちながらの使用とし、放水ノズルからの使用は通常仕様は４機とし、水量の調整を図るため毎週末に２日間の３機使用とし、巨大ダムに比較して高さと水量不足を補うため、高架水槽ホッパー３２の四隅を放水口ノズルに向けて絞込み、海水重量集中効果を量る２面ホッパーとし、外側コーナーに向け放水出口に勢いが出る高架水槽ホッパー３２をダムの形とする。図１と図５で示す。
【０００９】満潮時に高架水槽タワー上１５が満タンとなりこれを引き起こす時、タワー側の連結プレート１９と起動槽４の連結プレート１２とは常に連結されており、起動槽下エアー室５の空気を送風管６から抜く事により、自然に起動槽下エアー室５の底の面にあるエアー圧力排水口１３より入水を初め、起動槽下エアー室５を満タンにした時を、図１２で示す。
起動槽４にある起動槽排水ハッチ７の扉を閉めて、ジャバラ送水管３を通じて波高水槽２の海水を送り込むことを図１３で示す。干潮に向かう中間期の状態の側面図であり更に送水を続けることで完全に起き上がるのを図１４で示す。
【００１０】干潮時に起き上がつた起動水槽タワー上１５は縦５０ｍ横７０ｍ幅５０ｍのサイズで中身１５万ｔの海水を満水とし、図５で示す排水ハッチ１８を開き送水溝３１を通して高架水槽ホッパー３２に送水後、起動水槽タワー上１５を空にする、満潮から干潮時が１日に２回繰り返しが続く時は起動水槽４の２機が５日間で高架水槽ホッパーは３００万ｔを満杯にすることができる。
【００１１】干潮時に満タンであつた起動水槽タワー上１５を空にした。後は、これを倒すために干潮時から満潮時に向けて、今度は起動槽４の排水ハッチ７を開いておき、送風管６を通じてコンプレッサー４４で、起動槽下エアー室５にエアーを插入、その圧力によって今度は浮上するために、図１４とは逆の体型に海水をエアー圧力で、起動槽下エアー室５の底面にあるエアー圧力排水口１３から少しづつ排水させ、起動槽４の排水ハッチ７を開くことで浮上に併せて自然に排水をする、起動水槽４も次第に浮上することで、起動水槽タワー上１５も倒すことが出来る、又図１２の状態に戻り、繰り返すことができる。
【００１２】波高水槽２は満潮から干潮時の中間時点を底とした、高さ７ｍ幅３００ｍ長さ９５０ｍの大きさに４ｍから６，５ｍの高さの海水を確保するために、１８機の波高筒１を使用して、波の高さがある時は図４で示す通り、波高筒１の中間蓋１Ｂを閉じて６，５ｍの高さを取り込み、波の低い時は中間蓋１Ｂを開き入水４ｍを取り込むものとした、波高筒の口幅２０ｍ上り詰めた上開口部６ｍ幅の３ｍの楕円形とする。
【００１３】潮の満ち引きは高低差１．５ｍあり、起動水槽タワー下上１４、１５は干潮から満潮時点で単独でも倒れます、図８は干潮時、図９は干潮時から潮の満ち始めで、干潮時から１／４経過した側面図、そして図１０は中間時、図１１は、干潮時から３／４満潮に向かった状態の側面図、起動水槽タワー上１５は水面下に入り始めて、水圧でうちに開き重さで閉じるゴム弁２０が、水圧で内側に押され開き始め入水を始める、入水の時は起動水槽タワー上１５の上面にエアーの抜き穴２１が働く、図１１の上平面で示す。その１５を満タンにした時、水面より沈み込みを防ぐため、ストッパーエアーブイ１６がその働きをする。
【００１４】満潮時に起動水槽タワー上１５を満水にした後これを起こす時に、起動水槽下浮上の時のエアー室５の室内にあったエアーを抜くため、送風管６のキャプを外す事によりエアーと入れ替わりに５の底面にある、エアー圧力排水口１３の排水口から入水を始め、すぐ満杯にすることを図１２で示す。起動槽４の両側面にある起動槽排水ハッチ７を閉じて、波高水槽２の海水をジャバラ送水管３を通じて注入し、その海水重量と引き潮の力を利用することを図１３で示す。更に干潮時に起動水槽４を満水にした時に起動水槽タワー上１５を完全に引き起こすことが出来ることを図１４で示す。
【００１５】起動水槽タワー上１５を満水にした後、送水構３１で高架水槽ホッパー３２に送水され、起動水槽タワー上１５を空にすることを図５で示す。
起動水槽タワー上１５を空にした干潮時に、図面はありませんが、図１４とは逆にこれを浮上させるために、起動槽４の両側面にある起動槽排水ハッチ７を開き、入水していた海水を排出させるために、起動槽下エアー室５にコンプレッサー４４で送風管６からエアーを插入し、エアー室５の底面にある、エアー圧力排水口１３から海水を吐き出させながらエアーの力で浮上することで、起動槽４の海水も排水ハッチ７開くことで自動的に水面下に流れ出し、起動槽下エアー室５の上面が水平をになるまで浮上させた時に、送風管６からエアーを抜くと、起動槽下エアー室５の底面にある、エアー圧力排水口１３より直ぐに入水し又、図１２の形となります。
【００１６】起動水槽タワー上下１５、１４は満潮にかけて単独で倒れる事を図８、図９、図１０、図１１で示しましたが、図１２では連結プレート１９、１２で繋がってはいますが、起動槽下エアー室５の浮力だけで起動水槽タワー上下１４、１５を倒すわけではなく、タワーは潮の力で倒し、もう一方は起動槽下エアー室５のエアー浮力であり、各々が起動力を持ちあわせ２つの相乗効果を利用し、起動力の繰り返しが出来るものにした。
この潮海力発電装置は、津波対策の構造も万全に備えます。
【符号の説明】
【００１７】１、波高筒
２、波高水槽
３、ジャバラ送水管
４、起動槽
５、起動槽下エアー室、    浮上の時
６、送風管．
７、起動槽排水ハッチ
８、起動槽吊りプレート
９、起動槽移動車輪
１０、起動槽移動車輪軸受け鉄骨
１１、起動槽両岸レール
１２、連結プレート
１３、エアー圧力排水口
１４、起動水槽タワー下
１５、起動水槽タワー上
１６、ストッパーエアーブイ
１７、補強つなぎ材鉄骨
１８、送水ハッチ
１９、連結プレート
２０、ゴム弁、    水圧でうちに開き重さで閉じる。
２１、エアー抜き穴
２２、六角プレートワッシャ
２３、連結回転シャフト
２４、連結回転シャフト、  運河両側鋼板付き２６と２５
２５、Ｌ型金具
２６、軸受け、  Ｌ型金具２５受ける。      ２６イ、ストッパーは回転を起す。
２７、補強プレート
２８、側面鋼板
２９、運河底鋼鉄板
３０、地中潮流管
３１、送水講
３２、高架水槽ホッパー、３２イ、３２ロ外側鋼板、３２ハ、３２ニ〜コンクリート通し基礎
３３、放水銃口
３４、タービンの羽根
３５、タービン上外周円筒形
３６、タービン中間円筒形
３７、タービン下内側円筒形
３８、下部ターンバックル
３９、上部ターンバックル
４０、ターンバックル受け止め金具
４１、タービン回転シャフト
４２、シャフト下部軸受け水切
４３、タービン本体
４４、コンプレッサー
４５、人工運河
Ｌ１．．．９車輪の移動距離
Ｌ２．．．波高槽高さ
Ｌ３．．．波高槽幅
Ｌ４．．．波高槽長さ．．．
Ｌ５．．．波高筒の下の幅
Ｌ６．．．波高筒の上の幅
Ｌ７．．．タービンに係わる
Ｌ８．．．波高筒．．．
Ｌ９．．．波高筒
Ｌ１０．．．波高筒
Ｌ１１．．．波高筒
Ｌ１２．．．高架水槽高さ
Ｌ１３．．．タービンに係わる
Ｌ１４．．．タービンに係わる
Ｌ１５．．．タービンに係わる
Ｌ１６．．．タービンに係わる
Ｌ１７．．．タービンに係わる
Ｌ１８．．．タービンに係わる
Ｌ１９．．．タービンに係わる
Ｌ２０．．．タービンに係わる
Ｌ２１．．．タービンに係わる
【図１】
0005894065.tif 000002
【図２】
0005894065.tif 000003
【図３】
0005894065.tif 000004
【図４】
0005894065.tif 000005
【図５】
0005894065.tif 000006
【図６】
0005894065.tif 000007
【図７】
0005894065.tif 000008
【図８】
0005894065.tif 000009
【図９】
0005894065.tif 000010
【図１０】
0005894065.tif 000011
【図１１】
0005894065.tif 000012
【図１２】
0005894065.tif 000013
【図１３】
0005894065.tif 000014
【図１４】
0005894065.tif 000015
【図１５】
0005894065.tif 000016
【図１６】
0005894065.tif 000017